(57)【特許請求の範囲】
【請求項１】
カメラアクセサリに設けられたアクセサリ側マウントが取り外し可能に結合されるカメラ側マウントを有するカメラであって、
前記カメラ側マウントは、複数のカメラ側バヨネット爪を有し、該複数のカメラ側バヨネット爪の間に前記アクセサリ側マウントに設けられたアクセサリ側バヨネット爪が挿入された第１の状態から前記アクセサリ側マウントと相対回転されることにより、前記カメラ側バヨネット爪と前記アクセサリ側バヨネット爪とが係合して前記アクセサリ側マウントとの結合を完了する第２の状態となり、
前記カメラ側マウントに設けられたカメラ側接点保持部は、前記相対回転方向に配置された複数のカメラ側接点ピンを突出引込み方向に移動可能に保持し、
前記アクセサリ側マウントに設けられたアクセサリ側接点保持部は、前記アクセサリ側およびカメラ側マウントの相対回転方向に配置された複数のアクセサリ側接点面を保持し、
前記第２の状態において、前記複数のカメラ側接点ピンと前記複数のアクセサリ側接点面とが接触することで該カメラと前記カメラアクセサリとが電気的に接続されるようになっており、
前記複数のカメラ側接点ピンは、前記カメラアクセサリに電源を供給するために用いられる第１のカメラ側接点ピンと、該カメラと接続されているカメラアクセサリと通信データを通信するための第２のカメラ側接点ピンと、該カメラと接続されている前記カメラアクセサリの種類を検知するために用いられる第３のカメラ側接点ピンと、を有し、
正姿勢にある該カメラを前記カメラ側マウントと対向する方向から前記カメラ側マウントを見た場合において、前記カメラ側マウントの中心から重力方向に延びる線をマウント中心線とするとき、
該カメラは、前記マウント中心線に対して一方の側に電源回路を、他方の側にカメラ側アクチュエータを配し、
前記複数のカメラ側接点ピンは、前記カメラ側接点保持部における前記マウント中心線上を除いた位置に配置され、前記カメラ側マウントと対向する方向から前記カメラ側マウントを見たとき、前記マウント中心線上より左側に前記第１、第２のカメラ側接点ピンおよび前記電源回路を、前記マウント中心線上より右側に前記第３のカメラ側接点ピンおよび前記カメラ側アクチュエータを配置していることを特徴とするカメラ。
【請求項２】
前記カメラ側マウントにおける前記マウント中心線上には、該カメラ側マウントを該カメラの本体に固定するための締結ビスが設けられていることを特徴とする請求項１に記載のカメラ。
【請求項３】
前記正姿勢にある該カメラを前記カメラ側マウントと対向する方向から前記カメラ側マウントを見た場合において、
前記一方の側に配置されたカメラ側接点ピンの数が、前記他方の側に配置されたカメラ側接点ピンの数よりも多いことを特徴とする請求項１または２に記載のカメラ。
【請求項４】
前記第３のカメラ側接点ピンは、前記第１の状態において前記アクセサリ側接点面を含む前記アクセサリ側接点保持部に当接する当接ピンであり、
前記第１、第２のカメラ側接点ピンは、前記第１の状態において前記アクセサリ側接点面を含む前記アクセサリ側接点保持部に当接しない非当接ピンに含み、
前記相対回転方向において、
前記当接ピンとこれに隣り合う前記非当接ピンとの間のピッチが、互いに隣り合う前記非当接ピン間のピッチよりも大きい、又は、複数の前記当接ピンのうち互いに隣り合う前記当接ピン間のピッチが、前記非当接ピン間のピッチよりも大きいことを特徴とする請求項１から３のいずれか１項に記載のカメラ。
【請求項５】
前記複数のカメラ側接点ピンは、前記カメラに対する前記カメラアクセサリの装着の検出に用いる信号を前記カメラアクセサリから該カメラに入力するために設けられる第４のカメラ側接点ピンを有し、
前記複数のアクセサリ側接点面は、前記第２の状態において前記第３のカメラ側接点ピンに接触する第３のアクセサリ側接点面を含み、
前記複数のアクセサリ側接点面は、前記第２の状態において前記第４のカメラ側接点ピンに接触する第４のアクセサリ側接点面を含み、
前記第３のカメラ側接点ピンは、前記カメラ側マウントの前記第１の状態から前記第２の状態への前記アクセサリ側マウントとの相対回転中において、前記第４のカメラ側接点ピンと前記第４のアクセサリ側接点面とが接触を開始するよりも早く又はそれと同時に前記第３のアクセサリ側接点面との接触を開始するように設けられていることを特徴とする請求項１から４のいずれか１項に記載のカメラ。
【請求項６】
前記相対回転方向において、前記第３のカメラ側接点ピンと前記第４のカメラ側接点ピンとの間の距離が、前記第３のアクセサリ側接点面のうち前記相対回転中に前記第３のカメラ側接点ピンとの接触を開始する部分と前記第４のアクセサリ側接点面のうち前記相対回転中に前記第４のカメラ側接点ピンとの接触を開始する部分との間の距離より大きい又は該距離と同じであることを特徴とする請求項５に記載のカメラ。
【請求項７】
前記複数のカメラ側接点ピンは、通信クロック信号用端子の第５のカメラ側接点ピンを更に有することを特徴とする請求項１から６のいずれか１項に記載のカメラ。
【請求項８】
カメラに設けられたカメラ側マウントに対して取り外し可能に結合されるアクセサリ側マウントを有するカメラアクセサリであって、
前記アクセサリ側マウントは、アクセサリ側バヨネット爪を有し、該アクセサリ側バヨネット爪が前記カメラ側マウントに設けられた複数のカメラ側バヨネット爪の間に挿入された第１の状態から前記カメラ側マウントと相対回転されることにより、前記アクセサリ側バヨネット爪と前記カメラ側バヨネット爪とが係合して前記カメラ側マウントとの結合を完了する第２の状態となり、
前記アクセサリ側マウントに設けられたアクセサリ側接点保持部は、前記アクセサリ側およびカメラ側マウントの相対回転方向に配置された複数のアクセサリ側接点面を保持し、
前記カメラ側マウントに設けられたカメラ側接点保持部は、前記相対回転方向に配置された複数のカメラ側接点ピンを突出引込み方向に移動可能に保持し、
前記第２の状態において、前記複数のアクセサリ側接点面と前記複数のカメラ側接点ピンとが接触することで該カメラアクセサリと前記カメラとが電気的に接続されるようになっており、
前記複数のアクセサリ側接点面は、前記カメラから電源供給を受けるために用いられる第１のアクセサリ側接点面と、該カメラアクセサリと前記カメラとの通信データの通信のための第２のアクセサリ側接点面と、該カメラアクセサリの種類を前記接続されているカメラが検知するために用いられる第３のアクセサリ側接点面と、を有し、
正姿勢にある前記カメラを前記カメラ側マウントと対向する方向から前記カメラ側マウントを見た場合において、
前記カメラ側マウントの中心から重力方向に延びる線をカメラ側マウント中心線とするとき、
該カメラは、前記マウント中心線に対して一方の側に電源回路を、他方の側にカメラ側アクチュエータを配し、
前記正姿勢にある前記カメラに対して前記第２の状態にある該カメラアクセサリを前記アクセサリ側マウントと対向する方向から前記アクセサリ側マウントを見た場合において、
前記アクセサリ側マウントの中心から重力方向に延びる線をアクセサリ側マウント中心線とするとき、
前記複数のアクセサリ側接点面は、前記アクセサリ側マウント中心線上より右側に前記第１、第２のアクセサリ側接点面を、前記マウント中心線上より左側に前記第３のアクセサリ側接点面が配置されていることを特徴とするカメラアクセサリ。
【請求項９】
前記正姿勢にある前記カメラに対して前記第２の状態にある該カメラアクセサリを前記アクセサリ側マウントと対向する方向から前記アクセサリ側マウントを見た場合において、
前記複数のアクセサリ側接点面のうち、前記アクセサリ側マウント中心線に対して前記電源回路の側に配置されるアクセサリ側接点面の数が、前記カメラ側アクチュエータの側に配置されるアクセサリ側接点面の数よりも多いことを特徴とする請求項８に記載のカメラアクセサリ。
【請求項１０】
前記第３のカメラ側接点ピンは、前記第１の状態において前記アクセサリ側接点面を含む前記アクセサリ側接点保持部に当接する当接ピンであり、
前記複数のアクセサリ側接点面は、前記第２の状態において前記当接ピンに接触する当接面を含み、
前記複数のアクセサリ側接点面は、前記第２の状態において前記当接ピンに接触しない非当接面を含み、
前記相対回転方向において、
前記当接面とこれに隣り合う前記非当接面との間のピッチが、互いに隣り合う複数の前記非当接面間のピッチよりも大きい、又は、
前記当接面とこれに隣り合う前記非当接面との間の間隔が、互いに隣り合う複数の前記非当接面との間の間隔よりも大きい、又は、
前記当接面の幅が、前記非当接面の幅よりも大きいことを特徴とする請求項８または９に記載のカメラアクセサリ。
【請求項１１】
前記複数のカメラ側接点ピンは、前記カメラに対する前記カメラアクセサリの装着の検出に用いる信号を前記カメラアクセサリから該カメラに入力するために設けられる第４のカメラ側接点ピンを有し、
前記複数のアクセサリ側接点面は、前記第２の状態において前記第３のカメラ側接点ピンに接触する第３のアクセサリ側接点面を含み、
前記複数のアクセサリ側接点面は、前記第２の状態において前記第４のカメラ側接点ピンに接触する第４のアクセサリ側接点面を含み、
前記第３のアクセサリ側接点面は、前記アクセサリ側マウントの前記第１の状態から前記第２の状態への前記カメラ側マウントとの相対回転中において、前記第４のアクセサリ側接点面と前記第４のカメラ側接点ピンとが接触を開始するよりも早く又はそれと同時に前記第３のカメラ側接点ピンとの接触を開始するように設けられていることを特徴とする請求項８乃至１０のいずれか１項に記載のカメラアクセサリ。
【請求項１２】
前記相対回転方向において、前記第３のアクセサリ側接点面のうち前記相対回転中に前記第３のカメラ側接点ピンとの接触を開始する部分と前記第４のアクセサリ側接点面のうち前記相対回転中に前記第４のカメラ側接点ピンとの接触を開始する部分との間の距離が、前記第３のカメラ側接点ピンと前記第４のカメラ側接点ピンとの間の距離より小さい又は該距離と同じであることを特徴とする請求項１１に記載のカメラアクセサリ。
【請求項１３】
前記複数のアクセサリ側接点面は、通信クロック信号用端子の第５のアクセサリ側接点面を更に有することを特徴とする請求項８乃至１２のいずれか１項に記載のカメラアクセサリ。
【発明の詳細な説明】
【技術分野】
【０００１】
本発明は、カメラおよび該カメラに交換可能に装着される交換レンズ等のカメラアクセサリに関する。
【背景技術】
【０００２】
カメラアクセサリ（以下、単にアクセサリという）は、カメラに装着された状態で、該カメラから電源の供給を受けたり、該カメラとの間で命令やデータ等の通信を行ったりする。このような電源供給や通信を可能とするために、カメラとアクセサリの装着部（マウント）には、互いに接触することで電気的に接続される接点が複数設けられる。また、カメラとアクセサリの装着（結合）は、それらのマウントを相対回転させて、それぞれに設けられたバヨネット爪を係合させるバヨネット結合方式が採用される場合が多い。
【０００３】
特許文献１には、バヨネット結合方式で装着されるマウントをそれぞれ有するカメラと交換レンズが開示されている。カメラと交換レンズのマウントの相対回転後の結合完了状態にて、カメラ側マウントに設けられた複数のカメラ側接点ピンとレンズ側マウントに設けられた複数のレンズ側接点ピン（接点面）とが互いに接触する。カメラ側接点ピンおよびレンズ側接点ピンはそれぞれ、マウントに設けられた接点座により保持されている。カメラ側の接点座には、カメラ側接点ピンを保持するための孔部が形成されており、該孔部に挿入されたカメラ側接点ピンと孔部の底面（プリント配線板）との間には、該カメラ側接点ピンを孔部から突出する方向に付勢するばねが配置されている。一方、レンズ側の接点座には、レンズ側接点ピンが固定されている。
【０００４】
最近では、カメラの軽量化を目的として、マウントを樹脂によるモールド成形により製作することが行われている。このようにモールド成形されたマウントを、以下、モールドマウントと称する。また、カメラの薄型化を目的として、カメラ側電気接点ピンを突出方向に付勢する接点ばねを、板ばねにより構成する場合がある。
【０００５】
さらにカメラ側およびレンズ側接点ピンには、カメラからアクセサリに対してアクセサリ内のアクチュエータを駆動するための電源を供給するための電源供給用接点ピンや、該アクセサリを制御するための信号をやり取りするための制御用接点ピンが含まれる。
【先行技術文献】
【特許文献】
【０００６】
【特許文献１】特開昭６２−１９５６３３号公報
【発明の概要】
【発明が解決しようとする課題】
【０００７】
上記のようにマウント（特に、モールドマウント）に接点ピンを設けたカメラおよびアクセサリには、以下のような問題がある。
【０００８】
図１９には、アクセサリとしての交換レンズ４０２を装着したカメラ４０１を地面４０５に落下させたときの様子を示している。カメラ４０１を落下させると、より重量が大きい交換レンズ４０２の先端がまず地面４０５に衝突する可能性が高い。この場合、カメラ４０１と交換レンズ４０２とを結合しているマウントの最下部に、該マウントを引き剥がそうとする最大の外力が発生する。このため、カメラ側およびレンズ側マウントの最下部を含む位相にバヨネット爪の係合部分を配置するとともに、カメラ側およびレンズ側マウントをそれぞれカメラ本体および交換レンズ本体に取り付けるための締結ビスによる取り付け部を配置することが望ましい。
【０００９】
しかしながら、マウントの周方向における締結ビスと同じ位置にカメラ側接点ピンを設け、これを突出方向に付勢する接点ばねとして板ばねを用いると、締結ビスを避けるように板ばねを配置しなければならないために、接点ピン間のピッチを広げる必要が生ずる。これにより、マウントにおける接点ピンの占有角度範囲が増加して、カメラの小型化を妨げる。
【００１０】
一方、カメラには、シャッタ等を駆動するためのアクチュエータとしてのモータが備えられており、該モータが発生するノイズが、レンズ側のアクセサリの制御に影響して該アクセサリの誤動作を起こす可能性がある。
【００１１】
さらに、カメラに設けられた電源回路から電源供給用接点ピンまではフレキシブル基板等によって配線がなされるが、この配線の長さが長いと、配線抵抗による損失が増加するおそれがある。
【００１２】
本発明は、マウントにおける接点の占有角度範囲が小さく、小型化が可能なカメラおよびカメラアクセサリを提供する。また、本発明は、電源供給に関して配線抵抗による損失が少なく、かつノイズにも強いカメラおよびカメラアクセサリを提供する。
【課題を解決するための手段】
【００１３】
本発明の一側面としてのカメラは、カメラアクセサリに設けられたアクセサリ側マウントが取り外し可能に結合されるカメラ側マウントを有するカメラであって、前記カメラ側マウントは、複数のカメラ側バヨネット爪を有し、該複数のカメラ側バヨネット爪の間に前記アクセサリ側マウントに設けられたアクセサリ側バヨネット爪が挿入された第１の状態から前記アクセサリ側マウントと相対回転されることにより、前記カメラ側バヨネット爪と前記アクセサリ側バヨネット爪とが係合して前記アクセサリ側マウントとの結合を完了する第２の状態となり、前記カメラ側マウントに設けられたカメラ側接点保持部は、前記相対回転方向に配置された複数のカメラ側接点ピンを突出引込み方向に移動可能に保持し、前記アクセサリ側マウントに設けられたアクセサリ側接点保持部は、前記アクセサリ側およびカメラ側マウントの相対回転方向に配置された複数のアクセサリ側接点面を保持し、前記第２の状態において、前記複数のカメラ側接点ピンと前記複数のアクセサリ側接点面とが接触することで該カメラと前記カメラアクセサリとが電気的に接続されるようになっており、前記複数のカメラ側接点ピンは、前記カメラアクセサリに電源を供給するために用いられる第１のカメラ側接点ピンと、該カメラと接続されているカメラアクセサリと通信データを通信するための第２のカメラ側接点ピンと、該カメラと接続されている前記カメラアクセサリの種類を検知するために用いられる第３のカメラ側接点ピンと、を有し、正姿勢にある該カメラを前記カメラ側マウントと対向する方向から前記カメラ側マウントを見た場合において、前記カメラ側マウントの中心から重力方向に延びる線をマウント中心線とするとき、該カメラは、前記マウント中心線に対して一方の側に電源回路を、他方の側にカメラ側アクチュエータを配し、前記複数のカメラ側接点ピンは、前記カメラ側接点保持部における前記マウント中心線上を除いた位置に配置され、前記カメラ側マウントと対向する方向から前記カメラ側マウントを見たとき、前記マウント中心線上より左側に前記第１、第２のカメラ側接点ピンおよび前記電源回路を、前記マウント中心線上より右側に前記第３のカメラ側接点ピンおよび前記カメラ側アクチュエータを配置していることを特徴とする。
【００１５】
また、本発明の他の一側面としてのカメラアクセサリは、カメラに設けられたカメラ側マウントに対して取り外し可能に結合されるアクセサリ側マウントを有するカメラアクセサリであって、前記アクセサリ側マウントは、アクセサリ側バヨネット爪を有し、該アクセサリ側バヨネット爪が前記カメラ側マウントに設けられた複数のカメラ側バヨネット爪の間に挿入された第１の状態から前記カメラ側マウントと相対回転されることにより、前記アクセサリ側バヨネット爪と前記カメラ側バヨネット爪とが係合して前記カメラ側マウントとの結合を完了する第２の状態となり、前記アクセサリ側マウントに設けられたアクセサリ側接点保持部は、前記アクセサリ側およびカメラ側マウントの相対回転方向に配置された複数のアクセサリ側接点面を保持し、前記カメラ側マウントに設けられたカメラ側接点保持部は、前記相対回転方向に配置された複数のカメラ側接点ピンを突出引込み方向に移動可能に保持し、前記第２の状態において、前記複数のアクセサリ側接点面と前記複数のカメラ側接点ピンとが接触することで該カメラアクセサリと前記カメラとが電気的に接続されるようになっており、前記複数のアクセサリ側接点面は、前記カメラから電源供給を受けるために用いられる第１のアクセサリ側接点面と、該カメラアクセサリと前記カメラとの通信データの通信のための第２のアクセサリ側接点面と、該カメラアクセサリの種類を前記接続されているカメラが検知するために用いられる第３のアクセサリ側接点面と、を有し、正姿勢にある前記カメラを前記カメラ側マウントと対向する方向から前記カメラ側マウントを見た場合において、前記カメラ側マウントの中心から重力方向に延びる線をカメラ側マウント中心線とするとき、該カメラは、前記マウント中心線に対して一方の側に電源回路を、他方の側にカメラ側アクチュエータを配し、前記正姿勢にある前記カメラに対して前記第２の状態にある該カメラアクセサリを前記アクセサリ側マウントと対向する方向から前記アクセサリ側マウントを見た場合において、前記アクセサリ側マウントの中心から重力方向に延びる線をアクセサリ側マウント中心線とするとき、前記複数のアクセサリ側接点面は、前記アクセサリ側マウント中心線上より右側に前記第１、第２のアクセサリ側接点面を、前記マウント中心線上より左側に前記第３のアクセサリ側接点面が配置されていることを特徴とする。
【発明の効果】
【００１７】
本発明によれば、複数のカメラ側接点ピンを、カメラ側接点保持部のうち正姿勢でのマウント中心線上を除いた位置に配置したので、板ばねにおける複数のカメラ側接点ピンのそれぞれを付勢する部分のピッチを小さくすることができる。このため、複数のカメラ側接点ピンの占有角度範囲を小さくすることができ、カメラを小型化することができる。また、これに準じて、カメラアクセサリに設けられる複数のアクセサリ側接点面も配置されるので、カメラアクセサリも小型化することができる。
【００１８】
また、本発明では、カメラ側およびアクセサリ側の電源供給用接点（接点ピンまたは接点面）をカメラの電源回路の側に配置し、さらにマウント中心よりも電源回路の側に配置される接点数を、カメラ側アクチュエータの側に配置される接点数よりも多くしている。これにより、電源供給における配線抵抗による損失が少なく、かつノイズに強いカメラおよびカメラアクセサリを実現することができる。
【図面の簡単な説明】
【００１９】
【図１】本発明の実施例１である交換レンズとこれが装着されるカメラの電気的構成を示すブロック図。
【図２】実施例１の交換レンズと上記カメラとに設けられたマウントおよびコネクタの構成を示す図。
【図３】上記コネクタの拡大図。
【図４】上記コネクタの断面図。
【図５】実施例１の交換レンズと上記カメラとに設けられたマウントの結合過程における上記コネクタの接触の様子を示す図。
【図６】図５中の（４）〜（８）の拡大図。
【図７】実施例１におけるレンズ側接点パターンを示す図。
【図８】実施例１における結合完了状態でのカメラ側接点ピンを示す図。
【図９】実施例１におけるマウントの中間回転状態でのカメラ側接点ピンを示す図。
【図１０】実施例１の変形例におけるカメラ側接点ピンを示す図。
【図１１】本発明の実施例２におけるレンズ側接点パターンおよびカメラ側接点ピンを示す図。
【図１２】実施例１の別の変形例におけるカメラ側接点ピンを示す図。
【図１３】実施例１における第１および第２の交換レンズのレンズ種類判定部とカメラマイコンとの接続を示すブロック図。
【図１４】実施例１における電圧変換部の構成を示すブロック図。
【図１５】実施例１におけるカメラマイコンの入出力タイミングの例を示すタイミングチャート。
【図１６】実施列１のカメラであって、モールドマウントを用いたカメラの構成を示す正面図。
【図１７】図１６に示したカメラの構成を示す背面図。
【図１８】図１６に示したカメラにおけるマウントの分解斜視図。
【図１９】カメラが落下したときに外力が作用する様子を示す図。
【発明を実施するための形態】
【００２０】
以下、本発明の実施例について図面を参照しながら説明する。
【実施例１】
【００２１】
図１（Ａ）には、本発明の実施例１であるカメラアクセサリとしての交換レンズ１００と、該交換レンズ１００が取り外し可能に装着されたカメラ１０とにより構成されたカメラシステムを示している。カメラ１０と交換レンズ１００はそれぞれ、カメラ１０から交換レンズ１００に電源を供給したり相互に通信したりするための電気的接点を備えたマウント１を有する。なお、本実施例ではカメラに装着可能なカメラアクセサリとして交換レンズについて説明するが、交換レンズ以外のカメラアクセサリも本発明の他の実施例として含まれる。
【００２２】
カメラ１０は、交換レンズ１００内の撮影レンズ１０１により形成された光学像としての被写体像を光電変換して電気信号を出力するイメージセンサ（撮像素子）１１を有する。また、カメラ１０は、イメージセンサ１１から出力されたアナログ電気信号をデジタル信号に変換するＡ／Ｄ変換部１２と、該デジタル信号に対する各種画像処理を行って映像信号を生成する画像処理部１３とを有する。画像処理部１３にて生成された映像信号（静止画像や動画像）は、表示部１４に表示されたり、記録媒体１５に記録されたりする。
【００２３】
さらに、カメラ１０は、映像信号に対する処理を行う際のバッファとしての機能を果たすとともに、後述するカメラ制御部１８が用いる動作プログラムを格納するメモリ１６を有する。また、カメラ１０は、電源のオン／オフを行うための電源スイッチ、映像信号の記録を開始させる撮影スイッチおよび各種メニューの設定を行うための選択／設定スイッチ等を含む操作入力部１７を有する。カメラ制御部１８は、マイクロコンピュータを含み、操作入力部１７からの信号に応じて画像処理部１３を制御したり、交換レンズ１００との通信を制御したりする。
【００２４】
一方、交換レンズ１００は、撮影レンズ１０１に含まれる不図示のフォーカスレンズ、ズームレンズ、絞りおよび防振レンズを移動または動作させるアクチュエータを駆動するレンズ駆動部１０２を有する。さらに、交換レンズ１００は、カメラ制御部１８から通信によって受け取った制御信号に応じてレンズ駆動部１０２を制御するマイクロコンピュータを含むレンズ制御部１０３を有する。
【００２５】
図１（Ｂ）には、カメラ１０（カメラ制御部１８）と交換レンズ１００（レンズ制御部１０３）との電気的接続を行うためにマウント１に設けられた端子を示している。
【００２６】
ＬＣＬＫ端子（１−１）は、カメラ１０から交換レンズ１００に出力される通信クロック信号用の端子である。ＤＣＬ端子（１−２）は、カメラ１０から交換レンズ１００に出力される通信データ用の端子である。ＤＬＣ端子（１−３）は、交換レンズ１００からカメラ１０に出力される通信データ用の端子である。
【００２７】
ＭＩＦ端子（１−４）は、カメラ１０に交換レンズ１００が装着されたことを検出するための端子である。カメラ制御部１８内のマイクロコンピュータ（以下、カメラマイコンという）２０は、ＭＩＦ端子の電圧に基づいて、交換レンズ１００がカメラ１０に装着されたことを検出する。
【００２８】
ＤＴＥＦ端子（１−５）は、カメラ１０に装着された交換レンズ１００の種類を検出するための端子である。カメラマイコン２０は、ＤＴＥＦ端子の電圧に基づいて、カメラ１０に装着された交換レンズ１００の種類を検出する。
【００２９】
ＶＢＡＴ端子（１−６）は、カメラ１０から交換レンズ１００に、通信制御を除く各種動作に用いられる駆動用電源（ＶＭ）を供給するための端子である。ＶＤＤ端子（１−７）は、カメラ１０から交換レンズ１００に、通信制御に用いられる通信制御用電源（ＶＤＤ）を供給する端子である。ＤＧＮＤ端子（１−８）は、カメラ１０と交換レンズ１００の通信制御系をグランドに接続する端子である。ＰＧＮＤ端子（１−９）は、カメラ１０と交換レンズ１００に設けられたモータ等を含むメカニカル駆動系をグランドに接続するための端子である。
【００３０】
以下、カメラ１０がＤＴＥＦ端子の電圧に基づいて識別する交換レンズ１００の種類に、第１の交換レンズと、該第１の交換レンズとは通信電圧が異なる第２の交換レンズとがある場合について説明する。通信電圧については後述する。
【００３１】
カメラ制御部１８内に設けられたカメラ電源部２１は、カメラ１０に搭載された不図示のバッテリから供給されたバッテリ電圧を各回路の動作に必要な電圧に変換する。この際、電源部２１は、電圧Ｖ１，Ｖ２，Ｖ３，ＶＭを生成する。
【００３２】
電圧Ｖ１は、第１および第２の交換レンズの通信制御用電源（ＶＤＤ）としての電圧であるとともに、第１の交換レンズの通信電圧である。電圧Ｖ２は、第２の交換レンズの通信電圧である。Ｖ３はカメラマイコン２０の動作用電源としての電圧である。ＶＭは前述したように第１および第２の交換レンズの駆動用電源としての電圧である。なお、Ｖ１とＶ２は互いに異なる電圧であるが、Ｖ１とＶ３又はＶＭが同じ電圧であってもよいし、Ｖ２とＶ３又はＶＭが同じ電圧であってもよい。
【００３３】
電源スイッチ２２がオンされると、カメラマイコン２０は、カメラ１０から交換レンズ１００へのＶＤＤとＶＭの供給を開始する。電源スイッチ２２がオフされると、カメラマイコン２０は、カメラ１０から交換レンズ１００へのＶＤＤとＶＭの供給を停止する。
【００３４】
カメラマイコン２０は、電圧変換部２３を介して交換レンズ１００との通信を行う。カメラマイコン２０は、通信用クロック信号を出力するＬＣＬＫ＿ＯＵＴ端子と、交換レンズ１００への通信データを出力するＤＣＬ＿ＯＵＴ端子と、交換レンズ１００からの通信データの入力を受けるＤＬＣ＿ＩＮ端子とを有する。また、カメラマイコン２０は、交換レンズ１００の装着を検出するためのＭＩＦ＿ＩＮ端子と、交換レンズ１００の種類を識別するためのＤＴＥＦ＿ＩＮ端子と、電圧変換部２３への通信電圧切り替え信号を出力するＣＮＴ＿Ｖ＿ＯＵＴ端子とを有する。さらに、カメラマイコン２０は、電源スイッチ２２の通電信号を出力するＣＮＴ＿ＶＤＤ＿ＯＵＴ端子と、画像処理部１３との接続端子と、操作入力部１７との接続端子とを有する。電圧変換部２３の動作については後述する。
【００３５】
レンズ電源部２１４は、カメラ１０から交換レンズ１００に供給されたＶＤＤ（Ｖ４）を電圧Ｖ５に変換する。レンズ制御部１０３内のマイクロコンピュータ（以下、レンズマイコンという）２１１は、上述した電圧変換部２３を介してカメラマイコン２０と通信を行う。レンズマイコン２１１は、通信用クロック信号の入力を受けるＬＣＬＫ＿ＩＮ端子と、カメラ１０への通信データを出力するＤＬＣ＿ＯＵＴ端子と、カメラ１０からの通信データの入力を受けるＤＣＬ＿ＩＮ端子と、レンズ駆動部１０２との接続端子とを有する。
【００３６】
交換レンズ１００のカメラ１０への装着検出について説明する。カメラマイコン２０のＭＩＦ＿ＩＮ端子は、抵抗Ｒ２（１００ＫΩ）によって電源にプルアップされているので、レンズ未装着時にはＨ（Ｈｉｇｈ）となる。しかし、ＭＩＦ＿ＩＮ端子は、交換レンズ（第１および第２の交換レンズ）１００が装着されると交換レンズ１００においてＧＮＤに接続されるため、交換レンズ１００の種類にかかわらず交換レンズ１００が装着された時点でＬ（Ｌｏｗ）となる。
【００３７】
レンズ種類判定部２１３の構成例を、図１３を用いて説明する。レンズ種類判定部２１３は、マウント１に設けられたＤＴＥＦ端子とＧＮＤとの間に設けられた抵抗ＲＬにより構成される。抵抗ＲＬの抵抗値は、交換レンズの種類に応じた値を予め設定しておく。例えば、図１３（Ａ）に示す第１の交換レンズに設けられた抵抗ＲＬでは０Ωとし、図１３（Ｂ）に示す第２の交換レンズに設けられた抵抗ＲＬでは３００ＫΩとする。
【００３８】
カメラ１０では、マウント１のＤＴＥＦ端子とカメラマイコン２０の動作用電源の電圧（Ｖ３）との間に抵抗Ｒ１（例えば１００ＫΩとする）が接続され、さらにＤＴＥＦ端子がカメラマイコン２０のＤＴＥＦ＿ＩＮ端子に接続される。カメラマイコン２０のＤＴＥＦ＿ＩＮ端子は、ＡＤ変換機能（ここでは１０ＢｉｔのＡＤ変換機能とする）を備えている。
【００３９】
カメラマイコン２０による交換レンズの種類判定の動作について説明する。カメラマイコン２０は、ＤＴＥＦ＿ＩＮ端子に入力される電圧値に応じて、装着された交換レンズの種類判定を行う。具体的には、カメラマイコン２０は、入力された電圧値をＡＤ変換し、そのＡＤ変換値とカメラマイコン２０が予め有するレンズ種類判定基準とを比較することでレンズ種類判定を行う。
【００４０】
例えば、第１の交換レンズが装着された場合は、ＤＴＥＦ＿ＩＮ端子に入力される電圧のＡＤ変換値は、Ｒ１の１００ＫΩとＲＬの０Ωとの抵抗比ＲＬ／（Ｒ１＋ＲＬ）で、およそ「０ｘ００００」と決まる。このため、カメラマイコン２０は、ＤＴＥＦ＿ＩＮ端子のＡＤ変換値が第１のレンズ種類判定基準である「０ｘ００００〜０ｘ００７Ｆ」の範囲内にあることを検出して、装着された交換レンズが第１の交換レンズであると判定する。一方、第２の交換レンズが装着された場合は、ＤＴＥＦ＿ＩＮ端子に入力される電圧のＡＤ変換値はＲ１の１００ＫΩとＲＬの３００ＫΩとの抵抗比ＲＬ／（Ｒ１＋ＲＬ）で、およそ「０ｘ０２ＦＦ」と決まる。このため、カメラマイコン２０は、ＤＴＥＦ＿ＩＮ端子のＡＤ変換値が第２のレンズ種類判定基準である「０ｘ０２８０〜０ｘ０３７Ｆ」の範囲内にあることを検出して、装着された交換レンズが第２の交換レンズであると判定する。
【００４１】
なお、上記説明では、第１の交換レンズにおける抵抗ＲＬの抵抗値を０Ωとしたが、０Ωの抵抗を用いずに、直接ＧＮＤに接続する形態を採用してもよい。
【００４２】
電圧変換部２３の構成例を図１４に示す。電圧セレクタ５１は、ＶＩＮ１端子とＶＩＮ２端子に入力された２つの電圧からＳＥＬ端子の論理に応じて、いずれか一方の電圧をＯＵＴ端子に出力する機能を有する。具体的には、ＳＥＬ端子がＬのときはＶＩＮ１端子の電圧を出力し、ＳＥＬ端子がＨのときはＶＩＮ２端子の電圧を出力する。ＶＩＮ１端子にはＶ１が、ＶＩＮ２端子にはＶ２が、ＳＥＬ端子にはカメラマイコン２０のＣＮＴ＿Ｖ＿ＯＵＴ端子がそれぞれ接続されている。ＯＵＴ端子の出力を、以下、ＶＳという。
【００４３】
レベルシフタ５２，５３，５４は、ＳＩＮ端子に入力された信号をＶＩＮ端子の電圧からＶＯＵＴ端子の電圧に変換して、ＳＯＵＴ端子から出力する機能を有する。
【００４４】
レベルシフタ５２のＳＩＮ端子にはカメラマイコン２０のＬＣＬＫ＿ＯＵＴ端子が接続され、ＳＯＵＴ端子がマウント１のＬＣＬＫ端子に接続される。また、ＶＩＮ端子にはカメラマイコン２０の動作用電源電圧と同じＶ３が接続され、ＶＯＵＴ端子には電圧セレクタ５１から出力されたＶＳが接続される。レベルシフタ５３のＳＩＮ端子には、カメラマイコン２０のＤＣＬ＿ＯＵＴ端子が接続され、ＳＯＵＴ端子がマウント１のＤＣＬ端子に接続され、ＶＩＮ端子がカメラマイコン２０の動作用電源電圧と同じＶ３が接続される。ＶＯＵＴ端子には、電圧セレクタ５１から出力されたＶＳが接続される。レベルシフタ５４のＳＩＮ端子にはマウント１のＤＬＣ端子が接続され、ＳＯＵＴ端子にはカメラマイコンのＤＬＣ＿ＩＮ端子が接続され、ＶＩＮ端子には電圧セレクタ５１から出力されたＶＳが接続される。また、ＶＯＵＴ端子には、カメラマイコン２０の動作用電源電圧と同じＶ３が接続される。このように、電圧セレクタ５１から出力されるＶＳ（つまりはＶ１又はＶ２）が、カメラ１０と交換レンズ１００間での通信電圧となる。
【００４５】
電圧変換部２３での電圧切替動作について説明する。カメラマイコン２０は、表１に示す論理表に従って、ＣＮＴ＿Ｖ＿ＯＵＴ端子を制御する。
【００４６】
【表１】
0005645889.tif 000002
【００４７】
前述したように、カメラマイコン２０は、装着された交換レンズ１００の種類を、ＤＴＥＦ＿ＩＮ端子に入力される電圧値（ＡＤ変換値）に基づいて判定する。そして、該交換レンズの種類の判定結果に応じて、ＣＮＴ＿Ｖ＿ＯＵＴ端子から出力される論理を制御する。具体的には、カメラマイコン２０がＤＴＥＦ＿ＩＮ端子の電圧値から、装着された交換レンズ１００が第１の交換レンズであると判定した場合は、カメラマイコン２０は、ＣＮＴ＿Ｖ＿ＯＵＴ端子からＨを出力して通信電圧をＶ１に制御する。また、カメラマイコン２０がＤＴＥＦ＿ＩＮ端子の電圧値から、装着された交換レンズ１００が第２の交換レンズであると判定した場合は、カメラマイコン２０は、ＣＮＴ＿Ｖ＿ＯＵＴ端子からＬを出力して通信電圧をＶ２に制御する。
【００４８】
ＤＴＥＦ＿ＩＮ端子の電圧値（ＡＤ変換値）として上述した第１および第２のレンズ種類判定基準外の範囲の電圧値を検出した場合は、カメラマイコン２０は、カメラ１０が対応していない交換レンズである「非対応レンズ」が装着されたものと判定する。または、レンズ種類判定が正常に行えないとして該判定を留保（Ｒｅｓｅｒｖｅｄ）する。これらの場合は、カメラマイコン２０は、交換レンズ１００との通信を行わない。
【００４９】
図１５には、カメラマイコン２０のＭＩＦ＿ＩＮ端子、ＤＴＥＦ＿ＩＮ端子、ＣＮＴ＿Ｖ＿ＯＵＴ端子、ＣＮＴ＿ＶＤＤ＿ＯＵＴ端子およびマウント１のＬＣＬＫ端子の入出力タイミングの例を示している。図１５（Ａ）は第１の交換レンズが装着された場合を、同図（Ｂ）は第２の交換レンズが装着された場合をそれぞれ示している。ｔ０はレンズ装着中におけるＤＴＥＦ＿ＩＮ端子への電圧入力時を、ｔ１はレンズ装着中におけるＭＩＦ＿ＩＮ端子への電圧入力時を示している。さらに、ｔ２はカメラ起動（電源ＯＮ）時を、ｔ３はレンズ種類判定と通信電圧設定時を、ｔ４は装着された交換レンズ１００に対する通電と通信の開始時を示している。なお、ｔ０とｔ１は同時であってもよい。ここで、ＤＴＥＦ＿ＩＮ端子とＭＩＦ＿ＩＮ端子への電圧入力タイミングは上述したｔ０とｔ１であるが、カメラマイコン２０での読み込みのタイミングは、ＭＩＦ＿ＩＮ端子がＬになった後にＤＴＥＦ＿ＩＮ端子の電圧値を読み込むという順番になっている。
【００５０】
第１および第２の交換レンズのいずれが装着された場合でも、ＤＴＥＦ＿ＩＮ端子への電圧入力の後（又はこれと同時）に、ＭＩＦ＿ＩＮ端子に電圧が入力される（ｔ０，ｔ１）。そして、カメラ起動がなされると（ｔ２）、レンズ種類判定とその判定結果に応じた通信電圧の設定が行われ（ｔ３）、その後、交換レンズ１００に対する通電および通信が開始される（ｔ４）。カメラ起動が行われた後に、交換レンズがカメラに装着される場合もあるが、この場合も、ｔ０，ｔ１とｔ２の順序は逆になるが、ＤＴＥＦ＿ＩＮ端子への電圧入力後（又はこれと同時）にＭＩＦ＿ＩＮ端子に電圧が入力される。
【００５１】
このようなレンズ装着時の動作（又は制御）を行う場合、交換レンズ１００が第１および第２の交換レンズのいずれかにかかわらず、またカメラ起動のタイミングにかかわらず、マウント１にてＤＴＥＦ端子がＭＩＦ端子より早く（又は同時に）接続される必要がある。これは以下の理由による。上述したように、カメラマイコン２０は、ＭＩＦ＿ＩＮ端子がＬになったらＤＴＥＦ＿ＩＮ端子の電圧値を読み込む。ここで、ＭＩＦ＿ＩＮ端子がＬになったにもかかわらずＤＴＥＦ端子が接続されていないと、上述のように非対応レンズの判定となり、カメラマイコン２０は、交換レンズ１００との通信を行わない。そのため、交換レンズ１００の種類を判別して適切な通信電圧で交換レンズ１００との通信を行うためには、ＭＩＦ＿ＩＮ端子がＬになった時点でＤＴＥＦ端子が確実に接続される必要がある。
【００５２】
次に、マウント１におけるカメラ側の端子を構成するカメラ側接点ピンを含むカメラ側コネクタの構成と、マウント１におけるレンズ側の端子を構成するレンズ側接点パターン（アクセサリ側接点面）を含むレンズ側コネクタの構成について説明する。
【００５３】
図２（Ａ）には光軸方向前方（被写体側）から見たカメラ側マウント２０１を示すとともに、図３（Ａ）には該カメラ側マウント２０１に設けられたカメラ側コネクタ（カメラ側接点座２０２およびカメラ側接点ピン２０２ａ１〜２０２ａ９）を拡大して示している。図２（Ｂ）には光軸方向後方（像面側）から見たレンズ側マウント３０１を示すとともに、図３（Ｂ）には該レンズ側マウント３０１に設けられたレンズ側コネクタ（レンズ側接点座３０２およびレンズ側接点パターン３０２ａ１〜３０２ａ９）を拡大して示している。また、図４には、結合完了状態でのカメラ側コネクタとレンズ側コネクタの断面を示している。
【００５４】
カメラ側マウント２０１は、不図示のカメラ本体（シャーシ）の前端部に固定されている。カメラ側マウント２０１は、その外周側の前端に所定のフランジバックを確保するためのリング状のマウント基準面２０１ｂを有する。そして、該マウント基準面２０１ｂより内側における周方向（以下、マウント周方向という）の３箇所にカメラ側バヨネット爪２０１ａを有する。また、カメラ側マウント２０１には、レンズ側マウント３０１との相対回転方向での位置決めを行うためのロックピン２０５が、マウント基準面２０１ｂに対して突出および引込み可能に設けられている。
【００５５】
レンズ側マウント（アクセサリ側マウント）３０１は、不図示の交換レンズの後端部に固定されている。レンズ側マウント３０１は、その外周側の後端に光軸方向での基準面であるマウント基準面３０１ｂを有し、該マウント基準面３０１ｂより内側における周方向（マウント周方向）の３箇所にレンズ側バヨネット爪（アクセサリ側バヨネット爪）３０１ａを有する。また、レンズ側マウント３０１には、カメラ側マウント２０１のロックピン２０５が挿入されるロック孔部３０１ｃがマウント基準面３０１ｂにて開口するように形成されている。ロック孔部３０１ｃは、マウント周方向（相対回転方向）ではロックピン２０５に対してほとんどガタなく係合する内径を有し、レンズ側マウント３０１の径方向（以下、マウント径方向という）ではロックピン２０５の外径よりある程度大きい内径を有する長孔である。これは、レンズ装着時（相対回転時）におけるロックピン２０５のロック穴部３０１ｃに対するスムーズな挿入を可能とするためである。
【００５６】
カメラ側マウント２０１におけるバヨネット爪２０１ａよりも内側の領域の一部には、マウント周方向に配置された８つのカメラ側接点ピン２０２ａ１，２０２ａ２，…，２０２ａ９を保持するカメラ側接点座（カメラ側接点保持部）２０２が形成されている。図４に示すように、カメラ側接点ピン２０２ａ１〜２０２ａ９はそれぞれ、カメラ側接点座２０２に形成されたピン保持孔部内に前方に突出したり後方に引込んだりすることが可能（突出引込み方向に移動可能）に挿入されている。各ピン保持孔部の底面には、フレキシブルプリント配線板２０６が配置されている。そして、フレキシブルプリント配線板２０６と各カメラ側接点ピンのフランジ部との間には、カメラ側接点ピンをカメラ側接点座２０２から前方に突出する方向に付勢する接点ばね（２０２ｂ１，２０２ｂ２，…，２０２ｂ９）が配置されている。
【００５７】
カメラ側接点ピン２０２ａ１〜２０２ａ９は、この順で、図１（Ｂ）にて説明したＤＴＥＦ端子，ＤＧＮＤ端子、ＬＣＬＫ端子、ＤＬＣ端子、ＤＣＬ端子、ＰＧＮＤ端子、ＶＢＡＴ端子、ＶＤＤ端子およびＭＩＦ端子に接続されている。
【００５８】
以上のカメラ側接点座２０２、カメラ側接点ピン２０２ａｎ（ｎ＝１〜９であり、以下の説明でも同じである）、接点ばね２０２ｂｎおよびフレキシブルプリント配線板２０６によってカメラ側コネクタが構成される。
【００５９】
レンズ側マウント３０１におけるバヨネット爪３０１ａより内側の領域の一部には、マウント周方向に配置された８つの矩形のレンズ側接点パターン３０２ａ１，３０２ａ２，…，３０２ａ９を保持するレンズ側接点座（アクセサリ側接点保持部）３０２が形成されている。なお、レンズ側接点パターンの形状は、矩形以外の形状、例えば円形であってもよい。
【００６０】
レンズ側接点パターン３０２ａ１〜３０２ａ９は、フレキシブルプリント配線板３０６を介して、図１に示したＬ＿ＣＰＵ１５１に接続されている。レンズ側接点座３０２におけるレンズ側接点パターン３０２ａ１，３０２ａ２，…，３０２ａ９を保持する部分（以下、パターン保持部分という）に隣接する部分には、該パターン保持部分よりも前方に引っ込んだ凹部３０２ｚが形成されている。また、パターン保持部分と凹部３０２ｚとの間には斜面３０２ｗが形成されている。なお、以下の説明において、レンズ側接点座３０２におけるレンズ側接点パターン３０２ａ１〜３０２ａ９を保持する部分とレンズ側接点パターン３０２ａ１〜３０２ａ９を合わせてレンズ側接点座３０２という。
【００６１】
レンズ側接点パターン３０２ａ１〜３０２ａ９は、この順で、ＤＴＥＦ端子，ＤＧＮＤ端子、ＬＣＬＫ端子、ＤＬＣ端子、ＤＣＬ端子、ＰＧＮＤ端子、ＶＢＡＴ端子、ＶＤＤ端子およびＭＩＦ端子に接続されたカメラ側接点ピン２０２ａ１〜２０２ａ９に対応する。
【００６２】
以上のレンズ側接点座３０２（凹部３０２ｚおよび斜面３０２ｗを含む）、レンズ側接点パターン３０２ａｎ（ｎ＝１〜９であり、以下の説明でも同じである）およびフレキシブルプリント配線板３０６によりレンズ側コネクタが形成される。
【００６３】
カメラ側接点ピン２０２ａｎとレンズ側接点パターン３０２ａｎは、カメラと交換レンズの結合完了状態において互いに対となる位置（接触する位置）に配置されている。レンズ装着時には、レンズ側接点座３０２（前述のようにレンズ側接点パターン３０２ａｎを含む）がカメラ側接点ピン２０２ａｎに接触することで、カメラ側接点ピン２０２ａｎは接点ばね２０２ｂｎをチャージしながらカメラ側接点座２０２に対して押し込まれる。これにより、カメラ側接点ピン２０２ａｎは、これと対をなすレンズ側接点パターン３０２ａｎに対して圧接し、カメラと交換レンズとの電気的接続が行われる。
【００６４】
図５の（１）〜（８）には、レンズ装着時においてレンズ側コネクタがカメラ側コネクタに接続される過程を示している。なお、図５の右側には、（１）〜（８）に示す状態での前述したロックピン２０５とロック孔部３０１ｃとの関係も示している。
【００６５】
図５の（１）は、各レンズ側バヨネット爪３０１ａが２つのカメラ側バヨネット爪２０１ａの間に挿入される手前までレンズ側マウント３０１がカメラ側マウント２０１に対して光軸方向において近づけられた状態を示している。以下、この図５（１）に示す状態を、マウント当接前状態という。図５の（２）は、レンズ側バヨネット爪３０１ａがカメラ側バヨネット爪２０１ａの間に挿入され、レンズ側マウント３０１（マウント基準面３０１ｂ）がカメラ側マウント２０１（マウント基準面２０１ｂ）に光軸方向にて当接した状態を示している。以下、この（２）に示す状態を、マウント当接状態（第１の状態）という。
【００６６】
図５の（３）〜(７)は、マウント当接状態から、レンズ側マウント３０１がカメラ側マウント２０１に対して結合完了状態（第２の状態）に向けて回転される途中の状態（相対回転中：以下、中間回転状態という）を段階ごとに示している。図５の（８）は、レンズ側マウント３０１がカメラ側マウント２０１に対して結合完了状態まで回転された状態を示している。
【００６７】
（２）のマウント当接状態では、レンズ側接点座３０２のパターン保持部分（レンズ接点パターン３０２ａ９又はその近傍の部分）がメラ側接点ピン２０２ａ１に当接する。これにより、カメラ側接点ピン２０２ａ１は、（１）のマウント当接前状態に比べて、カメラ側接点座２０２に対して押し込まれる。
【００６８】
以下、複数（ｎ個）のカメラ側接点ピン２０２ａｎのうち、マウント当接状態においてレンズ側接点座３０２に当接するＤＴＥＦ端子用のカメラ側接点ピン２０２ａ１を第１のカメラ側接点ピンともいう。また、第１のカメラ側接点ピン以外の、つまりはマウント当接状態においてレンズ側接点座３０２に当接しないカメラ側接点ピン２０２ａ２〜２０２ａ９を第２のカメラ側接点ピンともいう。このうちＭＩＦ端子用のカメラ側接点ピン２０２ａ９は、特定の第２のカメラ側接点ピンである。
【００６９】
マウント当接状態では、ロックピン２０５はロック孔部３０１ｃから離れた位置にてレンズ側マウント３０１のマウント基準面３０１ｂによって押し込まれている。このため、その後のレンズ側マウント３０１のカメラ側マウント２０１に対する回転が許容される。
【００７０】
（２）のマウント当接状態から（３）〜（７）の中間回転状態を経て（８）の結合完了状態に至るまでに、レンズ側バヨネット爪３０１ａとカメラ側バヨネット爪２０１ａとの係合が完了する。この間に、レンズ側接点座３０２は、カメラ側接点ピン２０２ａ１〜２０２ａ９に対して摺動しながら、第２のカメラ側接点ピン２０２ａ２〜２０２ａ９もカメラ側接点座２０２に対して押し込む。こうして、最終的に（８）の結合完了状態では、互いに対をなすカメラ側接点ピン２０２ａｎとレンズ側接点パターン３０２ａｎとが接触（圧接）する。
【００７１】
また、結合完了状態では、ロックピン２０５とロック孔部３０１ｃとのマウント周方向での位置が一致するため、カメラ側マウント２０１のマウント基準面２０１ｂから突出したロックピン２０５が、レンズ側マウント３０１のロック孔部３０１ｃ内に挿入される。これにより、不図示のロック解除機構によってロックピン２０５がロック孔部３０１ｃから抜かれるまで、結合完了状態が保持される。
【００７２】
ここで、図６を用いて、図５の（４）〜（７）に示した中間回転状態においてカメラ側接点ピン２０２ａｎとレンズ側接点パターン３０２ａｎとが接触していく流れについて説明する。
【００７３】
本実施例では、結合完了状態でのレンズ側接点パターン上におけるカメラ側接点ピンの接触位置をピン接触位置という。レンズ側接点パターンのピッチは、隣り合う接点パターン上でのピン接触位置間の距離に相当する。
【００７４】
また、レンズ側接点パターン３０２ａｎ上でのピン接触位置と当該レンズ側接点パターンａｎの図中左端（すなわち、レンズ側接点パターン３０２ａｎがカメラ側接点ピン２０２ａｎに対して移動する方向での先端）との間の距離を、Ｌａｎ（Ｌａ１〜Ｌａ９）とする。このとき、Ｌａ１〜Ｌａ９は、
Ｌａ１＞Ｌａ２, Ｌａ３，Ｌａ４，Ｌａ５，Ｌａ６，Ｌａ８＞Ｌａ９＞Ｌａ７
なる関係を有するように設定されている。
【００７５】
この関係は、例えば、レンズ側接点パターン３０２ａ１，３０２ａ９およびカメラ側接点ピン２０２ａ１，２０２ａ９に着目して以下のように言い換えることができる。レンズ側接点パターン３０２ａ１のうち中間回転状態でカメラ側接点ピン２０２ａ１との接触を開始する部分の位置とレンズ側接点パターン３０２ａ９のうち中間回転状態でカメラ側接点ピン２０２ａ９との接触を開始する部分の位置との間のマウント周方向での距離をＬＡとする。「接触を開始する部分」とは、例えば接点パターンが矩形である場合には該矩形の辺を意味し、接点パターンが円形である場合には円弧の頂部を意味する。マウント周方向での距離は、角度ということもできる。また、カメラ側接点ピン２０２ａ１，２０２ａ９（の中心軸）間のマウント周方向での距離（角度）をＬＢとする。このとき、距離ＬＡは距離ＬＢより小さい（言い換えれば、距離ＬＢは距離ＬＡより大きい）。
【００７６】
図５の（３）に示す状態からレンズ側マウント３０１が回転されると、図６（Ａ）に示すように、まずカメラ側接点ピン（ＤＴＥＦ端子用ピン）２０２ａ１とレンズ側接点パターン（ＤＴＥＦ端子用パターン）３０２ａ１とが接触を開始する。このとき、Ｌａ１〜Ｌａ９（言い換えれば、ＬＡとＬＢ）が上記の関係を有するため、他のカメラ側接点ピン２０２ａ２〜２０２ａ９とレンズ側接点パターン３０２ａ２〜３０２ａ９は接触していない。
【００７７】
図６（Ａ）の状態からさらにレンズ側マウント３０１が回転されると、図６（Ｂ）（図５の（５））に示すように、カメラ側接点ピン２０２ａ２〜２０２ａ６および２０２ａ８とレンズ側接点パターン３０２ａ２〜３０２ａ６および３０２ａ８とが同時に接触を開始する。このとき、カメラ側接点ピン２０２ａ７, ２０２ａ９とレンズ側接点パターン３０２ａ７, ３０２ａ９とは接触していない。
【００７８】
図６（Ｂ）の状態からさらにレンズ側マウント３０１が回転されると、図６（Ｃ）（図５の（６））に示すように、カメラ側接点ピン（ＭＩＦ端子用ピン）２０２ａ９とレンズ側接点パターン（ＭＩＦ端子用パターン）３０２ａ９とが接触を開始する。このとき、
Ｌａ9＞Ｌａ7
であるため、カメラ側接点ピン２０２ａ７とレンズ側接点パターン３０２ａ７とは接触しない。
【００７９】
図６（Ｃ）の状態からさらにレンズ側マウント３０１が回転されると、図６（Ｄ）（図５の（７））に示すように、カメラ側接点ピン（ＶＢＡＴ端子用ピン）２０２ａ７とレンズ側接点パターン（ＶＢＡＴ端子用パターン）３０２ａ７とが接触を開始する。
【００８０】
そして、図６（Ｄ）の状態からさらにレンズ側マウント３０１が回転されると、図６（Ｅ）（図５の（８））に示すように結合完了状態となる。
【００８１】
以上説明したように、本実施例ではカメラ側接点ピンとレンズ側接点パターンとが接触する順番は距離Ｌａｎが大きい順となり、ＤＴＥＦ端子を構成するカメラ側接点ピン２０２ａ１とこれに対応するレンズ側接点パターン３０２ａ１とが最初に接触を開始する。
【００８２】
なお、距離ＬＡと距離ＬＢとが同じであってもよい。この場合、ＤＴＥＦ端子用ピンとＤＴＥＦ端子用パターンが接触するタイミングをＭＩＦ端子用ピンとＭＩＦ端子用パターンが接触するタイミングに合わせるように、距離ＬＡを広げて距離ＬＢに合わせる。このとき、レンズ側接点パターン３０２ａ１の周方向における幅を、カメラ側接点ピンと接触を開始する部分と反対側の部分（図６における右方向）について拡大してもよい。ＬＡとＬＢとが同じ場合は、図５の（３）の状態からレンズ側マウント３０１が回転されると、ＤＴＥＦ端子およびＭＩＦ端子用のカメラ側接点ピン２０２ａ１，２０２ａ９とそれに対応するレンズ側接点パターン３０２ａ１，２０２ａ９とがそれぞれ同時に接触を開始する。
【００８３】
次に、第１のカメラ側接点ピン２０２ａ１に関する問題およびその解決方法について説明する。マウント当接前状態からマウント当接状態に至る際にレンズ側マウント３０１がカメラ側マウント２０１に対して勢いよく当接すると、レンズ側接点座３０２が第１のカメラ側接点ピン２０２ａ１に対して強く衝突する。第１のカメラ側接点ピン２０２ａ１は、カメラ側接点座２０２のピン保持孔部内に移動可能に（つまり移動を許容する嵌合ガタを有して）挿入されている。したがって、上記衝突による衝撃によって、第１のカメラ側接点ピン２０２ａ1が光軸方向にほぼ真っ直ぐに伸びる位置からピン保持孔部との間の嵌合ガタ量に応じて傾いたり曲がる等して変形したりするおそれがある。この場合、結合完了状態になっても、第１のカメラ側接点ピン２０２ａ１とこれと対をなすレンズ側接点パターン３０２ａ１とが正常に接触せず、カメラと交換レンズ間での通信エラーや、電源ショートを引き起こす可能性がある。
【００８４】
そこで本実施例では、レンズ側接点パターン３０２ａｎのマウント周方向の幅とマウント径方向の高さ、レンズ側接点パターン３０２ａｎ間のピッチと間隔、カメラ側接点ピン２０２ａｎ間のピッチおよびカメラ側接点ピン２０２ａｎの径を、以下のように設定している。
《レンズ側接点パターン（アクセサリ側接点面）の幅と高さについて》
第２のカメラ側接点ピン２０２ａ２〜２０２ａ９のそれぞれと対をなす（以下、該ピン「に対応する」ともいう）レンズ側接点パターン３０２ａ２〜３０２ａ９を、以下、第２のレンズ側接点パターン（第２のアクセサリ側接点面）という。ＭＩＦ端子用のレンズ側接点パターン３０２ａ９は、特定の第２のアクセサリ側接点面に相当する。これらの第２のレンズ側接点パターン３０２ａ２〜３０２ａ９の幅は、図７（Ａ）および図８（Ａ）に示すように、Ｌ１に設定されている。図７（Ａ）および図８（Ａ）では、第２のカメラ側接点ピンを２０２ａｘで示し、互いに隣り合う第２のカメラ側接点ピンを２０２ａｘ，２０２ａｘ＋１で示す。また、第２のカメラ側接点ピン２０２ａｘに対応する第２のレンズ側接点パターンを３０２ａｘで示し、互いに隣り合う第２のレンズ側接点パターンを３０２ａｘ，３０２ａｘ＋１で示す。
【００８５】
幅Ｌ１は、図８（Ａ）に示すように、光軸方向にほぼ真っ直ぐに伸びて変形していない第２のカメラ側接点ピン２０２ａｘが第２のレンズ側接点パターン３０２ａｘに対して接触する範囲Ｗの直径Ｖより所定余裕量だけ大きく設定されている。なお、第２のカメラ側接点ピン２０２ａｘの先端は、レンズ装着／取り外し時におけるレンズ側接点パターンに対する摺動が繰り返されることで摩耗する。このため、第２のカメラ側接点ピン２０２ａｘが接触する範囲Ｗも、この摩耗を考慮して設定されている。Ｖは第２のカメラ側接点ピン２０２ａｘの先端のうち第２のレンズ側接点パターン３０２ａｘに対して接触する部分の幅（直径）である。
【００８６】
また、第２のレンズ側接点パターン３０２ａｘの高さは、図７（Ａ）に示すように、Ｌ３に設定されている。
【００８７】
一方、ＤＴＥＦ端子用の第１のカメラ側接点ピン２０２ａ１と対をなす（に対応する）レンズ側接点パターン３０２ａ１を、以下、第１のレンズ側接点パターン（第１のアクセサリ側接点面）という。この第１のレンズ側接点パターン３０２ａ１の幅は、図７（Ｂ）および図８（Ｂ）に示すように、Ｌ１より大きいＬ２に設定されている。図７（Ｂ）および図８（Ｂ）では、第１のカメラ側接点ピンを２０２ａｙで示し、互いに隣り合う第１および第２のカメラ側接点ピンを２０２ａｙ，２０２ａｙ＋１で示す。また、第１のカメラ側接点ピン２０２ａｙに対応する第１のレンズ側接点パターンを３０２ａｙで示し、互いに隣り合う第１および第２のレンズ側接点パターンを３０２ａｙ，３０２ａｙ＋１で示す。
【００８８】
図８（Ｂ）には、光軸方向にほぼ真っ直ぐに伸びる本来の状態から傾いたり変形したりして、その先端が変位した第１のカメラ側接点ピン２０２ａｙを示している。幅Ｌ２は、同図に示すように、この先端が変位した第１のカメラ側接点ピン２０２ａｙが第１のレンズ側接点パターン３０２ａｙに対して接触し得る範囲（以下、接触想定範囲ともいう）ＷＷの直径ＶＶよりも所定余裕量だけ大きく設定されている。接触想定範囲ＷＷは、設計上想定した第１のカメラ側接点ピンの先端が変位し得る量に対応した範囲であり、例えば該接触想定範囲ＷＷを超えて第１のカメラ側接点ピン２０２ａｙの先端が変位した場合は故障または異常と判定される範囲である。
【００８９】
なお、第１のカメラ側接点ピン２０２ａｙの先端も、レンズ装着／取り外し時におけるレンズ側接点パターンに対する摺動が繰り返されることで摩耗する。このため、第１のカメラ側接点ピン２０２ａｙが第１のレンズ側接点パターン３０２ａｙに接触し得る範囲（接触想定範囲）ＷＷも、この摩耗を考慮して設定されている。ＶＶは第１のカメラ側接点ピン２０２ａｙの先端のうち第１のレンズ側接点パターン３０２ａｙに対して接触する部分の幅（直径）である。
【００９０】
また、第１のレンズ側接点パターン３０２ａｙの高さは、図７（Ｂ）に示すように、第２のレンズ側接点パターン３０２aｘの高さと同じＬ３に設定されている。なお、本実施例では、各レンズ側接点パターンの高さＬ３が幅Ｌ１，Ｌ２より大きい場合を示しているが、Ｌ３はＬ１又はＬ２と同じでもよいし、Ｌ１又はＬ２より小さくてもよい。
【００９１】
なお、図７（Ａ），（Ｂ）では、模式図としてレンズ側接点パターンの径方向および周方向のほぼ中心にピン接触位置がくるように示されているが、ピン接触位置は径方向および周方向の中心でなくてよい。本実施例では、図６（Ｅ）で示したように、各ピン接触位置は、レンズ側接点パターンの径方向における中心からずれた位置にある。
【００９２】
このように本実施例では、傾きや変形が生じ得る第１のカメラ側接点ピン２０２ａｙに対応する第１のレンズ側接点パターン３０２ａｙの幅を、そのおそれがない第２のカメラ側接点ピン２０２ａｘに対応する第２のレンズ側接点パターン３０２ａｘの幅より大きく設定している。これにより、レンズ側接点座３０２の当接（衝突）によって第１のカメラ側接点ピン２０２ａｘ（２０２ａ１）に傾きや変形が生じても、これらと第１のレンズ側接点パターン３０２ａｘ（３０２ａ１）との正常な接触（電気的接続）を確保することができる。したがって、カメラと交換レンズ間での通信エラーや、電源ショートの発生を回避することができる。
【００９３】
図３（Ｂ）には、幅Ｌ１，Ｌ２を、レンズ側マウント３０１に円弧状に形成されたレンズ側接点座３０２上での角度範囲θＬ１，θＬ２として示している。
《レンズ側接点パターン間（アクセサリ側接点面間）のピッチと間隔およびカメラ側接点ピン間のピッチについて》
第２のレンズ側接点パターン３０２ａｘ，３０２ａｘ＋１（３０２ａ２〜３０２ａ９）間のピッチと間隔はそれぞれ、図７（Ａ）および図８（Ａ）に示すように、Ｐ１とＱ１に設定されている。ここにいうレンズ側接点パターンのピッチは、隣り合う接点パターン上でのピン接触位置間の距離に相当する。また、レンズ側接点パターンの間隔は、マウント周方向における１つのレンズ側接点パターンとこれに隣り合うレンズ側接点パターンとの間（接点パターンが矩形である場合の辺の間）の距離である。このレンズ側接点パターンの間隔は、該レンズ側接点パターンとカメラ側接点ピンとの接触において重要な意味を持つ。また、第２のレンズ側接点パターン３０２ａｘ，３０２ａｘ＋１のピッチＰ１に合わせて、第２のカメラ側接点ピン２０２ａｘ，２０２ａｘ＋１間のピッチ（ピン中心軸間の距離）もＰ１に設定されている。
【００９４】
ピッチＰ１と間隔Ｑ１は、第２のカメラ側接点ピン２０２ａｘの第２のレンズ側接点パターン３０２ａｘに対して接触する範囲（以下、接触範囲という）がＷであることを前提として、さらに以下の条件をも満足するように決定される。
【００９５】
第１の条件として、図９（Ａ）に示すように、レンズ装着／取り外し時における交換レンズの回転中に、１つの第２のカメラ側接点ピン２０２ａｘが互いに隣り合う２つの第２のレンズ側接点パターン３０２ａｘ，３０２ａｘ＋１に同時に接触しないこと。つまり、間隔Ｑ１は、接触範囲Ｗの幅Ｖより大きく設定する（Ｑ１＞Ｖ）。
【００９６】
第２の条件として、１つの第２のレンズ側接点パターン３０２ａｘ＋１が、互いに隣り合う第２のカメラ側接点ピン２０２ａｘ，２０２ａｘ＋１に同時に接触しないこと。
【００９７】
さらに第３の条件として、それぞれの第２のレンズ側接点パターン３０２ａｘの位置誤差によってこれらの間の距離が狭くなっても、上記第１および第２の条件を満足すること。
【００９８】
第１から第３の条件を満足することで、隣り合う第２のレンズ側接点パターン３０２ａｘ，３０２ａｘ＋１や隣り合う第２のカメラ側接点ピン２０２ａｘ，２０２ａｘ＋１が同時に導通して電源ショート等の不具合が発生することを回避できる。
【００９９】
一方、第１のレンズ側接点パターン３０２ａｙ（３０２ａ１）と第２のレンズ側接点パターン３０２ａｙ＋１（３０２ａ２）間のピッチと間隔はそれぞれ、図７（Ｂ）および図８（Ｂ）に示すように、Ｐ１とＱ１よりも大きいＰ２とＱ２に設定されている。第１および第２のレンズ側接点パターン３０２ａｙ，３０２ａｙ＋１間のピッチＰ２に合わせて、第１および第２のカメラ側接点ピン２０２ａｙ，２０２ａｙ＋１間のピッチ（ピン中心軸間の距離）もＰ２に設定されている。
【０１００】
ピッチＰ２と間隔Ｑ２の決定は、まず第１のカメラ側接点ピン２０２ａｙの第１のレンズ側接点パターン３０２ａｙに対して接触し得る範囲（接触想定範囲）がＷより大きいＷＷとなることを前提とする。また、これに伴い第１のレンズ側接点パターン３０２ａｙの幅がＬ１より大きいＬ２になることも前提とする。そして、ピッチＰ２と間隔Ｑ２は、以下の条件をも満足するように決定される。
【０１０１】
第１の条件として、図９（Ｂ）に示すように、レンズ装着／取り外し時における交換レンズの回転中に、第１のカメラ側接点ピン２０２ａｙが互いに隣り合う第１および第２のレンズ側接点パターン３０２ａｙ，３０２ａｙ＋１に同時に接触しないこと。つまり、間隔Ｑ２は、接触想定範囲ＷＷの幅ＶＶより大きく設定する（Ｑ２＞ＶＶ）。なお、Ｐ２＞ＶＶである。
【０１０２】
図９（Ｃ）には、互いに隣り合う第１および第２のレンズ側接点パターン３０２ａｙ，３０２ａｙ＋１間のピッチと間隔がＰ１，Ｑ１に設定された場合を示している。この場合、第１のカメラ側接点ピン２０２ａｙが、第１および第２のレンズ側接点パターン３０２ａｙ，３０２ａｙ＋１に同時に接触してしまう。
【０１０３】
上述したように、カメラ側接点ピン２０２ａ１は、レンズ側接点座３０２の当接（衝突）により傾きや変形が生じ得る。ここで、第１のレンズ側接点パターン３０２ａ１であるＤＴＥＦ端子用パターンとそれに隣接する第２のレンズ側接点パターンＤＧＮＤ端子用パターン３０２ａ２にカメラ側接点ピン２０２ａ１が同時に接触すると、次のような不具合が生じる。上述したように、カメラマイコン２０は、ＤＴＥＦ＿ＩＮ端子の電圧値に基づいて装着された交換レンズ１００の種類を判定する。もしＤＴＥＦ端子用パターンとＤＧＮＤ端子用パターンにカメラ側接点ピン２０２ａ１が同時に接触すると、ＤＴＥＦ端子用パターンとＤＧＮＤ端子用パターンとが導通した状態になり、カメラマイコン２０がレンズの種類を誤判定するおそれがある。カメラマイコン２０は、ここでの判定結果に基づいて交換レンズ１００との通信電圧を設定するため、実際に装着された交換レンズと異なる種類のレンズと判定すると、適切な通信電圧が設定されず、正しく通信を行うことができなくなる。そのため、本実施例では、カメラ側接点ピン２０２ａ１の傾きや変形を考慮して、第１のレンズ側接点パターン３０２ａ１と、それに隣接する第２のレンズ側パターン３０２ａ２との間隔を広げている。
【０１０４】
第２の条件として、１つの第１のレンズ側接点パターン３０２ａｙ＋１が、互いに隣り合う第１および第２のカメラ側接点ピン２０２ａｙ，２０２ａｙ＋１に同時に接触しないこと。
【０１０５】
そして、第３の条件として、第１のレンズ側接点パターン３０２ａｙの位置誤差によってこれらの間の距離が狭くなっても、上記第１および第２の条件を満足すること。
【０１０６】
第１から第３の条件を満足することで、隣り合う第１および第２のレンズ側接点パターン３０２ａｙ，３０２ａｙ＋１や隣り合う第１および第２のカメラ側接点ピン２０２ａｙ，２０２ａｙ＋１が同時に導通して電源ショート等の不具合が発生することを回避できる。
【０１０７】
図３（Ａ），（Ｂ）には、ピッチＰ１，Ｐ２を、カメラ側およびレンズ側マウント２０１，３０１に円弧状に形成されたカメラ側およびレンズ側接点座２０２，３０２上での角度範囲θＰ１，θＰ２として示している。また、図３（Ｂ）には、間隔Ｑ１，Ｑ２を、レンズ側マウント３０１に円弧状に形成されたレンズ側接点座３０２上での角度範囲θＱ１，θＱ２として示している。
【０１０８】
本来、バヨネット結合時の回転量を考慮すると、回転量が大きくならないように、カメラ側接点ピン間のピッチは上記のような電源ショート等が起こらない範囲でできるだけ詰めるのが好ましい。但し、第１のカメラ側接点ピン２０２ａ１とそれに隣接する第２のカメラ側接点ピン２０２ａ２間のピッチについては、上述したように、レンズ側接点座３０２の当接（衝突）によって第１のカメラ側接点ピン２０２ａ１に傾きや変形が生じることを考慮する必要がある。そのため、本実施例では、第１のカメラ側接点ピン２０２ａ１とそれに隣接する第２のカメラ側接点ピン２０２ａ２間のピッチを、他の第２のカメラ側接点ピン間のピッチより広げている。
【０１０９】
なお、本実施例では、１つの第１のレンズ側接点パターンが設けられている場合について説明しているが、第１のレンズ側接点パターンを第１のカメラ側接点ピンとともに複数設けてもよい。この場合、図１０に示すように、第１のレンズ側接点パターン３０２ａｙとこれに隣り合う他の第１のレンズ側接点パターン３０２ａｙ＋１との間のピッチと間隔もそれぞれ、Ｐ２とＱ２に設定するとよい。また、互いに隣り合う第１および第２のレンズ側接点パターンに対応する第１および第２のカメラ側接点ピン間のピッチもＰ２に設定する。ただし、互いに隣り合う第１および第２のレンズ側接点パターン間のピッチと間隔は、互いに隣り合う２つの第１のレンズ側接点パターン間のピッチと間隔と必ずしも同じでなくてもよい。つまり、前者のピッチと間隔をＰ２ａとＱ２ａとし、後者のピッチと間隔をＰ２ｂとＱ２ｂとするとき、
Ｐ２ａ≠Ｐ２ｂ  （ただし、Ｐ１＜Ｐ２ａ）
Ｑ２ａ≠Ｑ２ｂ  （ただし、Ｑ１＜Ｑ２ａ）
であってもよい。この場合、互いに隣り合う第１のレンズ側接点パターン間のピッチと、互いに隣り合う第１および第２のカメラ側接点ピン間のピッチはそれぞれ、Ｐ２ａとＰ２ｂに設定される。
【０１１０】
以上のように本実施例では、以下の条件（１）〜（３）を満足する第１および第２のレンズ側接点パターンと第１および第２のカメラ側接点ピンを用いている。なお、前述したように、Ｐ２，Ｑ２には、前述したＰ２ａ，Ｐ２ｂ，Ｑ２ａ，Ｑ２ｂを含む。
Ｌ１＜Ｌ２  （θＬ１＜θＬ２）  …（１）
Ｐ１＜Ｐ２  （θＰ１＜θＰ２）  …（２）
Ｑ１＜Ｑ２  （θＱ１＜θＱ２）  …（３）
これにより、第１のカメラ側接点ピンにレンズ側接点座が強く当接することで第１のカメラ側接点ピンが傾いたり変形したりしても、該第１のカメラ側接点ピンとこれに接触すべき第１のレンズ側接点パターンとの正常な接触（電気的接続）を確保することができる。したがって、そのような正常な接触が行われないことによるカメラと交換レンズ間での通信エラーの発生や、電源ショートによるカメラや交換レンズの不具合の発生を防止することができる。
【０１１１】
さらに、カメラに対する交換レンズの装着時における動作上（又は制御上）の条件として、前述した距離ＬＡが距離ＬＢより小さい又は同じという第４の条件を満足することが望ましい。すなわち、ＭＩＦ端子よりも早く又はこれと同時にＤＴＥＦ端子が接続されるように幅Ｌ２，ピッチＰ２および間隔Ｑ２のうち少なくとも１つが設定されることが望ましい。
《カメラ側接点ピンの径について》
前述したように、第１のカメラ側接点ピン２０２ａｙ（２０２ａ１）は、マウント当接状態にてレンズ側接点座３０２に強く衝突することで曲がる等、変形するおそれがある。このような変形は、図１２（Ａ），（Ｂ）に示すように、第１のカメラ側接点ピン２０２ａｙの径φＤ２を第２のカメラ側接点ピン２０２ａｙ＋１（２０２ａ２〜２０２ａ９）の径φＤ１より大きくして第１のカメラ側接点ピン２０２ａ１の剛性を高めることで抑制できる。
【０１１２】
つまり、第１のカメラ側接点ピンの径φＤ２と第２のカメラ側接点ピンの径φＤ１とを、以下の条件（４）を満足するように設定してもよい。
φＤ１＜φＤ２  …（４）
これにより、第１のカメラ側接点ピン２０２ａｙの変形に起因する通信エラーや電源ショートをより発生しにくくすることができる。
【０１１３】
以上説明した条件（１）〜（４）は、必ずしも全てが満足されなくてもよく、条件（１），（２）および（４）のうち少なくとも１つが満足されればよい。条件（１），（２）および（４）のうち少なくとも１つが満足されれば、傾いたり変形したりした第１のカメラ側接点ピンと第１のレンズ側接点パターンとの正常な接触を確保することが可能である。そして、条件（３）を満足すれば、上述した電源ショートの問題を回避できる。
【０１１４】
しかも、前述した距離ＬＡが距離ＬＢより小さい（ＬＢがＬＡより大きい）又は同じであるという条件も満足されることで、カメラに装着された交換レンズの種類に対して適切な通信電圧を該カメラと交換レンズ間の通信が開始される前に設定することができる。したがって、不適切な通信電圧の設定による通信エラーの発生を回避することができる。
【０１１５】
図１６、図１７および図１８には、モールドマウントを使用したカメラ側マウント２０１の構成を示している。図１６はカメラ１０を正面（カメラ側マウントに対向する方向）から見たときのカメラ側マウント２０１およびカメラ１０の内部構成を示している。図１７はカメラ１０を背面から見たときの該カメラ１０の内部構成を示している。さらに、図１８には、カメラ側マウント２０１を分解して示している。
【０１１６】
図１６〜図１８に示す構成は、基本的には図２〜図４に示した構成と同様のものであり、図２〜図４に示した部材と共通する部材については、図２〜図４と同符号を付して説明に代える。ただし、図１６〜図１８では、カメラ側マウント２０１において、特に、マウント基準面２０１ｂとカメラ側バヨネット爪２０１ａ１〜２０１ａ３（図２（Ａ）では２０１ａで示した）を有するリング形状の部材をモールドマウント２０１Ａと称する。モールドマウント２０１Ａは、ガラス繊維入りポリカーボネート等の樹脂によるモールド成形により形成されている。
【０１１７】
図１６〜図１８では、カメラ側マウント２０１は、モールドマウント２０１Ａ、マウント地板２０８、マウントばね２２２およびロックピン２０５等により構成した場合を示している。
【０１１８】
また、図１８には、図４に示したコイルばねとしての接点ばね２０２ｂ１〜２０２ｂ９に代えて用いられる、板ばねとしての接点ばね２２０を示している。さらに、図１８には、カメラ側接点ピン２０２ａ１〜２０２ａ９の基端部が、図４に示したフレキシブルプリント配線板２０６に代えて用いられるフレキシブルプリント配線板２２１の９本の配線部の先端に固定され、かつ電気的に接続されている場合を示している。
【０１１９】
フレキシブルプリント配線板２２１と接点ばね２２０は、２本のビス２２３によってマウント地板２０８の裏面に、この順で重なるように固定される。マウント地板２０８には、前述したカメラ側接点座２０２が形成されている。
【０１２０】
フレキシブルプリント配線板２２１には、後述する最下位置の締結ビス２０４ａが貫通する穴部２２１ｃが形成されている。そして、マウント周方向における穴部２２１ｃを挟んだ両側には、第１の引き出し部２２１ａと第２の引き出し部２２１ｂとが設けられている。第１の引き出し部２２１ａには、カメラ側接点ピン２０２ａ４〜２０２ａ９用の６本の配線部が設けられている。また、第２の引き出し部２２１ｂには、カメラ側接点ピン２０２ａ１〜２０２ａ３用の３本の配線部が設けられている。
【０１２１】
接点ばね２２０は、カメラ側マウント２０１（マウント地板２０８）とカメラ本体２０９との間に配置されて、その９本のばね腕部のそれぞれによってカメラ側接点ピン２０２ａ１〜２０２ａ９をカメラ側接点座２０２から突出する方向に付勢する。この接点ばね２２０にも、最下位置の締結ビス２０４ａが貫通する穴部２２０ｃが形成されている。そして、マウント周方向における穴部２２０ｃを挟んだ両側に、カメラ側接点ピン２０２ａ４〜２０２ａ９用の６本のばね腕部と、カメラ側接点ピン２０２ａ１〜２０２ａ３用の３本のばね腕部とが設けられている。
【０１２２】
前述したように樹脂によるモールド成形により製作されたモールドマウント２０１Ａをカメラ側マウント２０１に用いることで、金属製のマウントを用いる場合に比べて強度が不足するおそれがある。図１９にて説明したカメラの落下時には、モールドマウント２０１Ａに形成された３つのカメラ側バヨネット爪２０１ａ１〜２０１ａ３のうち、モールドマウント２０１Ａの最下位置を含む角度範囲に形成されたカメラ側バヨネット爪２０１ａ２に最大の外力が作用する。
【０１２３】
ここで、図１６に示すようなカメラ１０の横長の姿勢を、正姿勢（または横姿勢）という。モールドマウント２０１Ａ（つまりはカメラ側マウント２０１）の最下位置は、モールドマウント２０１Ａのうち、カメラ１０が正姿勢にあるときにカメラ側マウント２０１の中心Ｏから重力方向に延びる一点鎖線Ｂで示すカメラ側マウント中心線上の位置である。言い換えれば、モールドマウント２０１Ａにおけるマウント周方向での位置のうち、カメラ１０が正姿勢にあるときに最も下になる位置が、モールドマウント２０１Ａの最下位置である。また、同様に、カメラ側接点座２０２におけるマウント周方向での位置のうち、カメラ１０が正姿勢にあるときに最も下になる位置（カメラ側マウント中心線Ｂ上の位置）が、カメラ側接点座２０２の最下位置である。
【０１２４】
２０４ａ〜２０ｆは、モールドマウント２０１Ａを、図１８に示すカメラ本体２０９に固定するための締結ビスであり、モールドマウント２０１Ａの周方向６箇所に均等間隔で配置されている。これら６つの締結ビス２０４ａ〜２０ｆのうち、締結ビス２０４ａは、その中心がモールドマウント２０１Ａにおける最下位置に位置するように配置されている。このように、カメラ側バヨネット爪２０１ａ２と締結ビス２０４ａとが、交換レンズ１００が装着されたカメラ１０の落下時に最大の外力が作用する最下位置に配置されることで、落下時の衝撃に対して十分な強度を確保することができる。
【０１２５】
モールドマウント２０１Ａには、前述したロックピン２０５が貫通可能な穴部が形成されており、この穴部を通してロックピン２０５がモールドマウント２０１Ａに対して突出したり引っ込んだりする。
【０１２６】
また、カメラ１０の内部には、シャッタユニット２２６が配置されている。シャッタユニット２２６は、カメラ側アクチュエータであるシャッタチャージモータ２２６ａの回転動作によって閉状態にチャージされるシャッタ幕（図示せず）を有する。シャッタ幕は、チャージが解放されることによってシャッタ開口２２６ｂに対して開方向に移動し、その後、再び閉方向にチャージされながら移動することで、図１に示したイメージセンサ１１の露光量を制御する。シャッタチャージモータ２２６ａは、シャッタ幕をチャージするために回転動作する際にノイズを発生する。シャッタチャージモータ２２６ａは、図１６に示す正面視において、カメラ側マウント中心線Ｂに対して右側に設けられている。
【０１２７】
また、カメラ側マウント中心線Ｂに対して左側には、電池２２７が配置されている。図１６に示す正面視において、モールドマウント２０１Ａの左側の部分が電池２２７と重なっている。しかし、モールドマウント２０１Ａの左側部分に設けられた２つの締結ビス２０４ｂ，２０４ｃを電池２２７との干渉を避ける位置に配置している。このため、電池２２７をモールドマウント２０１Ａ（カメラ側マウント２０１）の中心Ｏに近づけることができ、カメラ１０の小型化を図ることができる。
【０１２８】
カメラ側接点座２０２には、図２（Ａ）および図３（Ａ）にも示したように、マウント周方向にカメラ側接点ピン２０２ａ１〜２０２ａ９が配置されている。
【０１２９】
図１８において、２２２はマウントばねであり、その周方向３箇所にはばね片部２２２ａ１，２２２ａ２，２２２ａ３が設けられている。ばね片部２２２ａ１〜２２２ａ３はそれぞれ、カメラ側バヨネット爪２０１ａ１〜２０１ａ３に係合したレンズ側バヨネット爪３０１ａ（図２（Ｂ）参照）をカメラ本体２０９側に引き込む。
【０１３０】
カメラ側バヨネット爪２０１ａ１〜２０１ａ３の裏側には、静圧受け部２０１ｄが設けられている。静圧受け部２０１ｄは、カメラ本体２０９側とは反対側への所定値以上の荷重がマウントばね２２２（ばね片部２２２ａ１〜２２２ａ３）に作用したときにレンズ側バヨネット爪３０１ａに当接し、マウントばね２２２を介さずに交換レンズを保持する機能を有する。モールドマウント２０１Ａにおける最下位置を含む角度範囲に形成されたカメラ側バヨネット爪２０１ａ２において、静圧受け部２０３ｄは、最下位置に形成されている。
【０１３１】
このように構成されたカメラ側マウント２０１では、前述したように締結ビス２０４ａがモールドマウント２０１Ａの最下位置に配置されている。このため、接点ばね２２０は、カメラ側マウント２０１（マウント地板２０８）とカメラ本体２０９との間にて、この締結ビス２０４ａを避けるように配置される。具体的には、接点ばね２２０の９本のばね腕部が、マウント周方向での締結ビス２０４ａ（カメラ側マウント中心線Ｂ）の両側から、カメラ側接点ピン２０２ａ１〜２０２ａ９に向かってカメラ側マウント中心線Ｂに近づく側に延びるよう配置される。
【０１３２】
この場合において、接点ばね２２０の９本のばね腕部にて発生する付勢力を、カメラ側接点ピン２０２ａ１〜２０２ａ９のレンズ側接点パターン３０２ａ１〜３０２ａ９との接触を維持するのに十分で、かつ均一とすることが好ましい。しかも、カメラ側接点ピン２０２ａ１〜２０２ａ９（フレキシブルプリント配線板２２１）および接点ばね２２０を含む接点ユニットをできるだけ小型に構成する必要がある。このためには、接点ばね２２０の９本のばね腕部のそれぞれの幅、長さおよび変形量を同じにする必要がある。
【０１３３】
仮にカメラ側接点座２０２のうち締結ビス２０４ａの直上となる最下位置にカメラ側接点ピンを設け、接点ばね２２０の９本のばね腕部の幅や長さを同じにすると、締結ビス２０４ａの側方から該カメラ側接点ピンまで延びるばね腕部の傾きを大きくする必要がある。この結果、接点ばね２２０の９本のばね腕部のピッチとともにカメラ側接点ピン２０２ａ１〜２０２ａ９のピッチを、前述した該ピッチに求められる条件を超えて広げなければならなくなる。そして、これにより、マウント周方向においてカメラ側接点ピン２０２ａ１〜２０２ａ９が占める角度範囲（以下、占有角度範囲という）が増大する。
また、カメラ１０の落下時に最大荷重を受けるカメラ側マウント２０１の最下位置では、仮に締結ビス２０４ａで強固に固定していたとしても、カメラ側接点座２０２における最下位置に配置されたカメラ側接点ピンに最大の衝撃が加わる。このような衝撃によるカメラ側接点ピンの曲がりや折れ等の不具合を回避するためにも、カメラ側接点座２０２のうち最下位置には、カメラ側接点ピンを設けない方がよい。
【０１３４】
そこで、本実施例では、カメラ側接点ピン２０２ａ１〜２０２ａ９を、カメラ側接点座２０２におけるマウント周方向での位置のうち、カメラ１０が正姿勢にあるときの最下位置を除いた位置に配置している。これにより、カメラ側接点ピン２０２ａ１〜２０２ａ９の占有角度範囲を小さくしつつ、カメラ側接点ピン２０２ａ１〜２０２ａ９の十分かつ均一な突出方向への付勢を可能とし、さらにカメラ落下時の耐衝撃性を向上させることができる。
【０１３５】
また、図１７において、２２４は回路基板であり、２２５は回路基板２２４上に設けられた電源回路ブロックである。また、図１７中に破線で示された２２６は、電池２２７の端子と接続されるコネクタである。コネクタ２２６は、＋極２２６ａ、−極２２６ｂおよび情報端子２２６ｃを介して電池２２７と接続され、電源回路ブロック２２５に電源を供給する。
【０１３６】
回路基板２２４上において、２２４ａはフレキシブルプリント配線板２２１の第１の引き出し部２２１ａに接続される第１のコネクタであり、２２４ｂはフレキシブルプリント配線板２２１の第２の引き出し部２２１ｂに接続される第２のコネクタである。ここで、以下の説明では、カメラ側およびレンズ側マウントのそれぞれにおいて、マウントの中心から重力方向に延びるマウント中心線（カメラ側およびアクセサリ側マウント中心線）よりも電源回路ブロック２２５の側（一方の側）を、単に電源回路側という。また、マウント中心線よりもシャッタチャージモータ２２６ａの側（他方の側）を、単にモータ側という。
【０１３７】
カメラ側接点ピン２０２ａ１〜２０２ａ９のうち電源供給用接点ピンであるＶＢＡＴ端子用ピン２０２ａ７は、ＰＧＮＤ端子用ピン２０２ａ６とともに電源回路側に配置されている。つまり、大きな電流が流れるＶＢＡＴ端子用ピン２０２ａ７を、モータ側に配置する場合に比べて、電源回路ブロック２２５に近づけている。これにより、電源回路ブロック２２５からＶＢＡＴ端子用ピン２０２ａ７に電源供給用の電流が流れる際の回路基板２２４やフレキシブルプリント配線板２２１の配線抵抗によるロスが抑えられる。
【０１３８】
また、フレキシブルプリント配線板２２１のうち６つのカメラ側接点ピン２０２ａ４〜２０２ａ９に接続された第１の引き出し部２２１ａが、電源回路側に配置されている。一方、フレキシブルプリント配線板２２１のうち３つのカメラ側接点ピン２０２ａ１〜２０２ａ３に接続された第２の引き出し部２２１ｂが、モータ側に配置されている。つまり、電源回路側に配置されたカメラ側接点ピン２０２ａ４〜２０２ａ９の数が、モータ側に配置されたカメラ側接点ピン２０２ａ１〜２０２ａ３の数よりも多い。これにより、カメラ１０と交換レンズ１００との信号のやり取り等に関して、シャッタチャージモータ２２６ａからのノイズの影響を受けにくい構成を実現している。
【０１３９】
なお、図１６〜図１８では、カメラ１０側の構成を示し、交換レンズ１００側の構成は特に図示していない。しかし、正姿勢のカメラ１０に対して結合完了状態にある交換レンズ１００でのレンズ側接点パターン３０２ａ１〜３０２ａ３の配置は、図１６〜図１８を用いて説明したカメラ１０が正姿勢にあるときのカメラ側接点ピン２０２ａ１〜２０２ａ３の配置に準ずる。
【０１４０】
つまり、レンズ側接点パターン３０２ａ１〜３０２ａ９を、レンズ側接点座３０２におけるマウント周方向での位置のうち、カメラ１０が正姿勢にあるときに結合完了状態にて最も下になる最下位置（アクセサリ側マウント中心線上）を除いた位置に配置している。
【０１４１】
また、正姿勢のカメラ１０に対して結合完了状態にある交換レンズ１００をレンズ側マウントに対向する方向から見る。このとき、レンズ側接点パターン３０２ａ１〜３０２ａ９のうち電源供給用接点面であるＶＢＡＴ端子用パターン３０２ａ７は、ＰＧＮＤ端子用パターン３０２ａ６とともに、カメラ１０の電源回路側（以下、単に電源回路側という）に配置されている。さらに、電源回路側に配置されたレンズ側接点パターン３０２ａ４〜２０２ａ９の数が、カメラ１０のモータ側（以下、単にモータ側という）に配置されたレンズ側接点パターン３０２ａ１〜３０２ａ３の数よりも多い。
【０１４２】
以上のように、本実施例では、カメラ側接点ピン２０２ａ１〜２０２ａ９とレンズ側接点パターン３０２ａ１〜３０２ａ９を接点座２０２，３０２のうちカメラ１０が正姿勢にあるとき（かつ完全結合状態にあるとき）にマウント中心線上を除いた位置に配置した。このため、それぞれのマウントにおける接点ピン／接点パターンの占有角度範囲を小さくすることができる。このため、カメラ１０および交換レンズ１００を小型化することができる。また、本実施例では、カメラ側およびレンズ側の電源供給用の接点ピン２０２ａ７および接点パターン３０２ａ７を電源回路側に配置し、さらに電源回路側に配置される接点数を、モータ側に配置される接点数よりも多くした。これにより、配線抵抗による損失が少なく、かつノイズにも強い構成を実現することができる。
【０１４３】
なお、本実施例では、モールドマウント２０１Ａの最下位置に締結ビス２０４ａが設けられている場合について説明した。しかし、締結ビス２０４ａに代えて、モールドマウント２０１Ａのマウント周方向の位置決めのためのボス等が設けられている場合でも、本実施例にて説明した接点ピンおよび接点パターンの配置を採用することにより、上述した効果が得られる。また、図１６〜図１８に示した構成を、モールドマウント２０１Ａに代えて金属製のマウントを用いる場合に適用してもよい。
【実施例２】
【０１４４】
図１１（Ａ）〜（Ｃ）には、上述した条件（２），（３）を満足するが、条件（１），（４）を満足しない場合を本発明の実施例２として示している。本実施例では、互いに隣り合う第１および第２のレンズ側接点パターン３０２ａｙ，３０２ａｙ＋１間のピッチＰ２および間隔Ｐ２は、互いに隣り合う第２のレンズ側接点パターン３０２ａｘ，３０２ａｘ＋１間のピッチＰ１および間隔Ｑ１より大きい。また、互いに隣り合う第１および第２のカメラ側接点ピン２０２ａｙ，２０２ａｙ＋１間のピッチＰ２も、互いに隣り合う第２のカメラ側接点ピン２０２ａｘ，２０２ａｘ＋１間のピッチＰ１より大きい。
【０１４５】
しかし、第１のレンズ側接点パターン３０２ａｙの幅は、第２のレンズ側接点パターン３０２ａｘ(３０２ａｙ＋１)の幅と同じＬ１である。ただし、ここでのＬ１は、実施例１に示したＬ１よりも大きく、第１のカメラ側接点ピン２０２ａｙが第１のレンズ側接点パターン３０２ａｙに接触し得る範囲（接触想定範囲）ＷＷよりも若干大きく設定されている。
【０１４６】
さらに、第１および第２のカメラ側接点ピン２０２ａｙ，２０２ａｙ＋１（２０２ａｘ，２０２ａｘ＋１）の径はすべて同じφＤ１である。
【０１４７】
この場合でも、傾いたり変形したりした第１のカメラ側接点ピンと第１のレンズ側接点パターンとの正常な接触を確保することができ、カメラと交換レンズ間での通信エラーや電源ショートの発生を防止することができる。
【０１４８】
また、実施例２以外でも、条件（２）を満足するが条件（１），（３），（４）を満足しない場合でも、傾いたり変形したりした第１のカメラ側接点ピンと第１のレンズ側接点パターンとの正常な接触を確保することができる。これにより、カメラと交換レンズ間での通信エラーの発生を防止することができる。
【０１４９】
上記各実施例では、第１および第２のレンズ側接点パターンの高さをいずれもＬ３に設定した場合について説明したが、これらを異ならせてもよい。
【０１５０】
以上説明した各実施例は代表的な例にすぎず、本発明の実施に際しては、各実施例に対して種々の変形や変更が可能である。
【産業上の利用可能性】
【０１５１】
カメラとの良好な電気的接続が可能な交換レンズ等のカメラアクセサリを提供できる。
【符号の説明】
【０１５２】
２０１  カメラ側マウント
２０１ａ  カメラ側バヨネット爪
２０２  カメラ側接点座
２０２ａｎ  カメラ側接点ピン
３０１  レンズ側マウント
３０１ａ  レンズ側バヨネット爪
３０２  レンズ側接点座
３０２ａｎ  レンズ側接点パターン
【図１】
0005645889.tif 000003
【図２】
0005645889.tif 000004
【図３】
0005645889.tif 000005
【図４】
0005645889.tif 000006
【図５】
0005645889.tif 000007
【図６】
0005645889.tif 000008
【図７】
0005645889.tif 000009
【図８】
0005645889.tif 000010
【図９】
0005645889.tif 000011
【図１０】
0005645889.tif 000012
【図１１】
0005645889.tif 000013
【図１２】
0005645889.tif 000014
【図１３】
0005645889.tif 000015
【図１４】
0005645889.tif 000016
【図１５】
0005645889.tif 000017
【図１６】
0005645889.tif 000018
【図１７】
0005645889.tif 000019
【図１８】
0005645889.tif 000020
【図１９】
0005645889.tif 000021